(57)【要約】【課題】本発明は、滑り止めと柔軟性を有するマット部材との組み合わせにより、風呂蓋と床マットの兼用を可能としたマット兼用風呂蓋を提供することを目的とするものである。【解決手段】本発明は、ポリエチレン発泡樹脂素材から形成される板状の風呂蓋本体１の一方の面に滑り止め部２が複数個設けられ、更に風呂蓋本体１の他方の面には足滑り止め部３が形成されている。【選択図】        図１
2004174123.tif 000002
【特許請求の範囲】
【請求項１】
浴槽の上面に単数又は複数枚で載置される合成樹脂素材より形成される風呂蓋本体と、
該風呂蓋本体の一方の面に設けられる滑り止め部とを備える
ことを特徴とするマット兼用風呂蓋。
【請求項２】
前記風呂蓋本体の他方の面に足滑り止め部を設けた
ことを特徴とする請求項１記載のマット兼用風呂蓋。
【請求項３】
前記風呂蓋本体が折り曲げ自在とした
ことを特徴とする請求項１又は２記載のマット兼用風呂蓋。
【発明の詳細な説明】
【０００１】
【発明の属する技術分野】
本発明は、マット兼用風呂蓋に関する。詳しくは入浴時には浴室の床マットとして使用することができるマット兼用風呂蓋に係るものである。
【０００２】
【従来の技術】
風呂蓋は浴槽の開口部を塞ぐことにより、浴槽内における湯沸かしや湯水の保温の為に用いられるものであり、入浴時には風呂蓋は取外すことからその置き場所に困ることが多い。
【０００３】
一方入浴時には洗い場床面に置かれた風呂椅子に腰掛けた状態で洗うことが多く、１人での入浴には差し支えないが、子供といっしょに入る場合などでは風呂椅子が嵩張るために洗い場を充分に確保されない問題がある。
【０００４】
また、洗い場床面に直接に座る場合には衛生上の問題や特に冬場では床からの冷気が伝わるために浴槽で暖めた体が冷えるなどの問題があった。
【０００５】
そこでこれらの問題を解消した発明として図６に示すのがある。（例えば、特許文献１参照。）このすのこ兼用風呂蓋は、潜熱蓄熱材が用いられる風呂蓋１０１に把手１０２が設けられ、入浴時には風呂蓋１０１の把手１０２を下にして床１０３に置くことによって床面との間に隙間が確保され、排水が促進される。
【０００６】
【特許文献１】
特開平６−１４８４５号（図１参照。）
【０００７】
【発明が解決しようとする課題】
しかしながら床面との間に隙間を確保するために風呂蓋を把手によって支承する構造であるがために、風呂蓋は入浴者の体重に充分に耐える厚さを有する板材が必要となることから重量が重くなり、かつ嵩張るなどの問題がある。
【０００８】
また、風呂蓋は硬質材により形成されることから床上に座る場合と、座ったときの感触は殆どかわらない問題がある。
更には通常浴室の床はタイル張りや硬質の合成樹脂材によって形成されるものが殆どであり、この床面に対して同様に硬質の把手を置いた場合には、水やせっけんによる泡などによって非常に滑りやすくなる問題がある。
【０００９】
本発明は、以上の点に鑑みて創案されたものであって、滑り止めと柔軟性を有するマット部材との組み合わせにより、風呂蓋と床マットの兼用を可能としたマット兼用風呂蓋を提供することを目的とするものである。
【００１０】
【課題を解決するための手段】
上記の目的を達成するために、本発明に係るマット兼用風呂蓋は、浴槽の上面に単数又は複数枚で載置される合成樹脂素材より形成される風呂蓋本体と、該風呂蓋本体の一方の面に設けられる滑り止め部とを備える。
【００１１】
ここで、風呂蓋本体の一方の面に滑り止め部を設けることによって、入浴時に風呂蓋本体の一方の面を下にして浴室の床に置くことにより床上を風呂蓋本体が滑ることなく設置することが可能となる。
【００１２】
また、風呂蓋本体を合成樹脂素材により形成することによって軽量かつ、柔軟性を有する構成とすることが可能となる。
【００１３】
【発明の実施の形態】
以下、本発明の実施の形態を図面を参酌しながら説明し、本発明の理解に供する。
【００１４】
図１に、本発明を適用したマット兼用風呂蓋の一例を説明するための斜視図、図２に図１における断面説明を示す。ここで示すマット兼用風呂蓋は、ポリエチレン発泡樹脂素材から形成される板状の風呂蓋本体１の一方の面に滑り止め部２が複数個設けられ、更に風呂蓋本体１の他方の面には足滑り止め部３が形成されている。
【００１５】
ここで、滑り止め部２は例えば摩擦係数の大きいゴムなどによる弾性部材を風呂蓋本体１の一方の面の周縁部又は全面に沿って装着することにより、浴槽の開口縁との滑り止めと、浴室の床面との滑り止めが可能となるものである。
【００１６】
また、足滑り止め部３は風呂蓋本体１をマットとして使用する場合に、風呂蓋本体１の他方の面に足を載せた時に足が滑らないように、その表面を凹凸状に形成するものである。
【００１７】
次に図３に本発明の滑り止め部の他の例を示すものであり、風呂蓋本体１の一方の面の周縁部又は全面に沿って複数の吸盤から成る滑り止め部２を装着することによって、浴室の床面に対して吸着させることで確実に係止させることが可能となる。
【００１８】
また、図４に本発明の風呂蓋本体の他の形態の例を示すものであり、分割状とした複数の風呂蓋本体１を柔軟性を有する合成樹脂袋体５によって連結した状態で被包することによって風呂蓋本体１の連結部分より折り曲げることが可能となる。
【００１９】
ここで、風呂蓋本体は必ずしもポリエチレン発泡樹脂素材により形成される必要性は無く、他に例えばウレタン発泡樹脂素材などがあり、風呂蓋としての強度を保持し、軽量かつクッション性を有するものであればいかなる合成樹脂素材であっても良い。
【００２０】
また、前記滑り止め部は必ずしも摩擦係数の大きいゴムなどによる弾性部材又は吸盤により形成される必要性は無く、浴室の床面にマットとして使用する場合に滑らないものであればいかなる部材であっても良いが、風呂蓋本体にかかる荷重により摩擦係数が増加するゴムや吸着させることで確実に係止することが可能となる吸盤によって形成される方が好ましい。
【００２１】
また、足滑り止め部は必ずしも風呂蓋本体の他方の面を凹凸状に形成する必要性は無く、例えば滑り難い素材を貼るなど浴室の床にマットとして使用する場合に足が滑らないものであればいかなる機構であっても良い。
【００２２】
なお、風呂蓋本体を折り曲げ自在とする機構としては必ずしも分割状とした複数の風呂蓋本体を柔軟性を有する合成樹脂袋体によって連結した状態で被包した機構とする必要性は無く、例えば風呂蓋本体に一定間隔ごとに切り目を入れて折り曲げ可能とする機構や風呂蓋本体自体の素材を折曲自在とすることなど種々の機構が考えられる。
【００２３】
以上の構成より成る本発明では図５に示すように、浴槽Ａの開口部に１枚物又は２枚物とした風呂蓋本体１によって覆うことにより風呂蓋として使用される。この場合に風呂蓋本体１の他方の面を下側にして浴槽を覆うことにより、浴槽内からの湯気によって風呂蓋本体１の他方の面、即ち足滑り止め部３側が暖められることとなり、入浴時には床Ｂ面に対して前記風呂蓋本体１の一方の面を下にして載置してマットとして使用することにより入浴時に床暖房としての効果を得ることが可能となる。
【００２４】
このときに前記風呂蓋本体１の一方の面に設けられる滑り止め部２によって床Ｂとの係止が行われ、マットとして使用される風呂蓋本体１が床Ｂ上を滑らないこととなる。更に風呂蓋本体１の他の面、即ちマットとして使用する場合には上面に形成される足滑り止め部３によって風呂蓋本体１上に足を踏み入れた場合に滑らず、転倒を未然に防ぐこととなる。
【００２５】
このようにしてマットとして使用する風呂蓋本体は風呂蓋として使用されているために蓄熱されており、かつクッション性により直に座っても暖かく、かつ座り心地が良いマットとしての使用が可能となる。
【００２６】
また、入浴後において風呂蓋として不用となった場合には折り畳む、又は丸めることによって嵩張らずに収納することが可能となる。
【００２７】
【発明の効果】
以上述べて来た如く本発明によれば、風呂蓋として使用する場合には発泡合成樹脂素材により軽量かつ保型性の良好な蓋として使用することが可能となる。
【００２８】
次にマットとして使用する場合には滑り止め部によって浴室の床面に係止することでズレることなく、かつ足滑り止め部によって入浴の際の転倒を防止することが可能となる。
また、発泡合成樹脂素材により蓄熱性およびクッション性の優れた座り心地の良いマットしての兼用が可能となる。
【図面の簡単な説明】
【図１】本発明を適用したマット兼用風呂蓋の一例を説明するための斜視図を示す。
【図２】図１における断面説明図を示す。
【図３】本発明を適用したマット兼用風呂蓋の滑り止め部の他の例を示す説明図である。
【図４】本発明を適用したマット兼用風呂蓋の他の例を示すための断面説明図である。
【図５】本発明を適用したマット兼用風呂蓋の使用状態を示す説明図である。
【図６】従来の風呂蓋の一例を示すための説明図である。
【符号の説明】
１      風呂蓋本体
２      滑り止め部
３      足滑り止め部
【図１】
2004174123.tif 000003
【図２】
2004174123.tif 000004
【図３】
2004174123.tif 000005
【図４】
2004174123.tif 000006
【図５】
2004174123.tif 000007
【図６】
2004174123.tif 000008